(57)【特許請求の範囲】
【請求項１】
ダミー本体の前面側に、商品と対応する形状に湾曲したダミーラベルを保持する展示用商品見本であって、
上記ダミー本体を、上記商品の上部と対応する形状に形成された上部枠体と、該商品の下部と対応する形状に形成された下部枠体とに分割し、
上記上部枠体の上端部に、上記ダミーラベルの上縁部を所定の曲率半径に保持する保持部を形成し、
上記下部枠体の下端部に、上記ダミーラベルの下縁部を所定の曲率半径に保持可能する保持部を形成し、
上記上部枠体の保持部の後側縁部の下方に向けて形成された壁部の内周面と、上記下部枠体の保持部の後側縁部の上方に向けて形成された壁部の外周面との対向面に、互いに係合される突起と溝部とを形成し、
上記溝部の上端部より下方の上端側対向縁部と、該溝部の下端部より上方の下端側対向縁部とを、上記溝部に挿入される突起の軸部より幅狭に形成し、
上記一方の壁部に形成された突起を、他方の壁部に形成された縦長の溝部に係合して、該溝部の上端部及び下端部に対して係合保持される位置に上下移動可能に設けることにより、上記ダミー本体の全長を、上記商品と対応するサイズに可変調節可能に設け、
上記各保持部の前側縁部に、上記各枠体の後方からダミーラベルの差込み及び抜取りが可能で、該ダミーラベルの上縁部又は下縁部が係止される半円形状の溝部を形成し、
上記上部枠体の壁部の後側外周面に、上記ダミーラベルの両側縁部が係止される一対の係止爪を所定間隔に隔てて形成した
展示用商品見本。
【発明の詳細な説明】
【０００１】
【発明の属する技術分野】
この発明は、例えば清涼飲料水、炭酸飲料水、酒類、コーヒ、お茶等の飲み物が封入された商品（例えば樹脂製、金属製、ガラス製の容器）を販売する自動販売機に於いて、その商品を選択するために陳列される展示用商品見本に関する。
【０００２】
【従来の技術】
従来、上述例のような商品見本としては、例えば、図１３に示すように、フレーム本体４１を構成するフレーム４２，４２を上下分離して、そのフレーム４２，４２の間にシート状の表示ラベル４３を嵌込むと共に、表示ラベル４３の上下縁部を、フレーム４２の周縁部に形成したリブ４２ａの内側に係止し、表示ラベル４３の両側縁部を、フレーム４２の後側内壁面に形成したストッパ４２ｂに係止する商品見本４０（特開平１０−５５４７９号公報）がある。
【０００３】
【発明が解決しようとする課題】
しかし、上述した商品見本４０は、フレーム本体４１を構成するフレーム４２，４２を分離して、そのフレーム４２，４２の間に表示ラベル４３を嵌込むだけの構造であるので、商品の種類に対応して、商品見本４０のサイズ及び表示内容を変更する場合、自動販売機の展示部に陳列された古い商品見本４０を、新しい商品見本４０とに交換しなければならず、その作業に手間及び時間が掛かる。
【０００４】
また、変更する商品のサイズに対応して、複数の商品見本４０を製作したり、予め準備したりしなければならず、商品見本４０の保管及び取扱いが煩わしくなるだけでなく、一つの商品見本４０に要する単価が高くなり、見本毎に複数の金型が必要となるため、製作コストが高くなるという問題点を有している。
【０００５】
この発明は上記問題に鑑み、商品見本を構成するダミー本体を、商品と対応するサイズに可変調節してダミーラベルのみを交換するので、商品見本のサイズ及び表示内容を変更する作業が容易に行え、交換時の作業性が向上し、製作費及び金型費の低減を図ることができる展示用商品見本の提供を目的とする。
【０００６】
【課題を解決するための手段】
請求項１記載の発明は、ダミー本体の前面側に、商品と対応する形状に湾曲したダミーラベルを保持する展示用商品見本であって、上記ダミー本体を、上記商品の上部と対応する形状に形成された上部枠体と、該商品の下部と対応する形状に形成された下部枠体とに分割し、上記上部枠体の上端部に、上記ダミーラベルの上縁部を所定の曲率半径に保持する保持部を形成し、上記下部枠体の下端部に、上記ダミーラベルの下縁部を所定の曲率半径に保持可能する保持部を形成し、上記上部枠体の保持部の後側縁部の下方に向けて形成された壁部の内周面と、上記下部枠体の保持部の後側縁部の上方に向けて形成された壁部の外周面との対向面に、互いに係合される突起と溝部とを形成し、上記溝部の上端部より下方の上端側対向縁部と、該溝部の下端部より上方の下端側対向縁部とを、上記溝部に挿入される突起の軸部より幅狭に形成し、上記一方の壁部に形成された突起を、他方の壁部に形成された縦長の溝部に係合して、該溝部の上端部及び下端部に対して係合保持される位置に上下移動可能に設けることにより、上記ダミー本体の全長を、上記商品と対応するサイズに可変調節可能に設け、上記各保持部の前側縁部に、上記各枠体の後方からダミーラベルの差込み及び抜取りが可能で、該ダミーラベルの上縁部又は下縁部が係止される半円形状の溝部を形成し、上記上部枠体の壁部の後側外周面に、上記ダミーラベルの両側縁部が係止される一対の係止爪を所定間隔に隔てて形成した展示用商品見本であることを特徴とする。
【０００７】
【作用】
請求項１記載の展示用商品見本は、ダミー本体を構成する上部枠体と下部枠体とを上下方向に相対移動して、一方の壁部に形成された突起を、他方の壁部に形成された縦長の溝部に沿って上下移動させ、該突起を溝部の上端部及び下端部に対して係合保持する。また、ダミー本体を、ダミーラベルが保持される長さに伸縮調整した後、ダミーラベルの上縁部を、上部枠体の保持部に形成された溝部に沿って後方から差込み、ダミーラベルの下縁部を、下部枠体の保持部に形成された溝部に沿って後方から差込んだ後、ダミーラベルの両側縁部を、上部枠体の壁部に形成された一対の係止部に係止して、商品と対応する曲率半径に湾曲した状態に矯正及び保持する。
【０００８】
これにより、ダミー本体の全長を、販売される商品と対応するサイズにスライド調節することができる。また、ダミーラベルを、商品の側部周面と対応する曲率半径に湾曲してダミー本体の前面側に保持するので、商品見本全体を交換する必要が無く、商品見本のサイズ及び表示内容のみを変更することができる。また、上下枠体を分離したり、組付けたりする手間及び作業が省け、商品見本のサイズ及び表示内容を変更する作業が容易に行える。
【０００９】
また、ダミーラベルの上縁部を、上部枠体の保持部に形成された溝部に沿って後方から差込み、ダミーラベルの下縁部を、下部枠体の保持部に形成された溝部に沿って後方から差込んだ後、ダミーラベルの両側縁部を、上部枠体の壁部に形成された一対の係止部に係止して、商品と対応する曲率半径に湾曲した状態に矯正及び保持する。これにより、ダミーラベルを所定の曲率半径に矯正及び保持することができ、ダミーラベルの差込み及び抜取りをダミー本体の後方から行うことができる。
【００１０】
【発明の効果】
この発明の展示用商品見本は、ダミー本体を、商品と対応するサイズに伸縮調節してダミーラベルのみを交換するので、従来例のように商品見本全体を交換するような手間及び作業が省けると共に、商品見本のサイズ及び表示内容を変更したり、ダミーラベルを交換したりする作業が簡単且つ容易に行え、交換作業に要する時間が短くなり、作業性が向上する。
【００１１】
しかも、ダミーラベルのみを交換し、ダミー本体を共通して使用するので、複数の商品見本を製作及び準備したりする必要が無く、商品見本の保管及び取扱いが容易に行える。且つ、商品の種類及びサイズに対応したダミーラベルを複数製作するだけで済み、一つの商品見本に要する製作費及び金型費の低減を図ることができる。
【００１２】
さらに、ダミー本体を構成する上下枠体を相対移動して、商品と対応するサイズに可変調節するので、上下枠体を分離したり、組付けたりする手間及び作業が省け、商品見本のサイズ及び表示内容を変更する作業が容易に行える。
【００１３】
さらにまた、上下枠体の対接面に形成した突起を溝部に沿って上下移動するので、ダミー本体を、商品と対応するサイズにスライド調節することができる。また、任意の突起又は孔部と、特定の孔部又は突起とを互いに係合して、ダミー本体の全長を段階的に可変調節することにより、予め設定したサイズに可変調節することができる。
【００１４】
さらにまた、ダミーラベルの両側縁部を、ダミー本体に形成した係止部に係止して、商品と対応する曲率半径に保持するので、ダミーラベルを湾曲した状態又は巻付けた状態に保持することができ、ダミーラベルの装着及び交換が容易に行える。
【００１５】
【実施例】
この発明の一実施例を以下図面に基づいて詳述する。
図面は販売される商品のサイズ及び種類に略対応して、サイズ及び表示内容を変更するときに用いられる展示用商品見本を示し、図１に於いて、この展示用商品見本７（以下単に商品見本と略記する）は、自動販売機１の前面側に設けた展示部２に、販売商品（例えば飲み物が封入されたアルミ缶、スチール缶）の種類に略対応して複数陳列される。なお、商品見本７を、任意の展示部（例えば机、棚、陳列ケース等）に単独で陳列してもよい。
【００１６】
展示部２の展示面３には、図９にも示すように、展示面３に陳列される商品見本７の種類に略対応して、略丸形状の開口部４を水平方向に対して所定間隔に隔てて複数形成している。
【００１７】
その展示部２の内部には、展示面３に形成した開口部４と対向して、例えば蛍光灯、白熱灯、照光ランプ、発光素子又はその他の照光機能を備えた機器等の光源５を配設している。
【００１８】
光源５は、商品見本７が立体的に発光され、ダミーラベルに印刷した意匠（例えば商標、文字、模様、図柄等）を明瞭に表示するのに必要な光量を投光する。
【００１９】
商品見本７は、図２、図３に示すように、展示部２の展示面３に形成した開口部４に対して起立状態に嵌込み固定されるダミー本体８と、その前面側に保持されるフィルム状又はシート状に形成したダミーラベル９とで構成され、ダミー本体８とダミーラベル９とを、例えばプラスチック、ポリ塩化ビニル、ポリプロピレン、ポリエチレン、ポリエステル、ポリカーボネード、アクリル等の合成樹脂により形成している。
【００２０】
ダミー本体８は、図４、図５、図６にも示すように、その全体又は一部を、上述した合成樹脂により半透明又は不透明（或いは透明）に形成され、ダミー本体８を構成する上部枠体８ａと下部枠体８ｂとを上下移動可能に分割形成して、商品と略対応するサイズにスライド調節可能に設けている。
【００２１】
ダミーラベル９は、その全体又は一部を、上述した透光性を有する合成樹脂により透明又は半透明に形成され、商品の外周面と略対応する曲率半径に湾曲可能な厚みに形成し、その表示面に、商品と略同一の色彩、模様、文字等の意匠を印刷又は形成している。
【００２２】
ダミー本体８の枠体８ａは、商品の上部（プルトップ側）と略対応する形状に形成され、その枠体８ａ上部には、ダミーラベル９の上縁部を所定の曲率半径に保持する保持部１０を形成している。
【００２３】
保持部１０の後側縁部には、図７にも示すように、商品の後側周面と略対応する略円弧状の壁部１１を下方に向けて形成すると共に、壁部１１の後側外周面に、ダミーラベル９の両側縁部が係止される係止爪１２を所定間隔に隔てて形成し、その係止爪１２，１２の間と対応する後側中央面に、後述する溝部１９に対して上下移動可能に係止される突起１８を所定間隔に隔てて形成している。
【００２４】
枠体８ｂは、商品の下部（底部側）と略対応する形状に形成され、その枠体８ｂ下部には、ダミーラベル９の下縁部を所定の曲率半径に保持可能する保持部１３を形成している。
【００２５】
保持部１３の後側縁部には、上述した壁部１１の内周面側に対して重合される略円弧状の壁部１４を上方に向けて形成すると共に、壁部１４の後側中央面に、上述した突起１８が係止される溝部１９を上下方向に平行して形成している。保持部１３の下面側中央部には、上述した開口部４に対して連通（光源５から投光される光が導光可能）される開口部１５を形成している。
【００２６】
保持部１０，１３の前側縁部には、後方から差込み可能及び抜取り可能であって、ダミーラベル９の縁部（上縁部又は下縁部）が係止される略半円形状の溝部１６を形成している。溝部１６の外周側及び内周側に形成した規制壁１７は、ダミーラベル９の縁部を、商品と外周面と略対応する曲面形状（シリンドリカル状）に矯正及び保持する。
【００２７】
上述した突起１８は、側面から見て略Ｔ字状に形成され、縦長に形成した溝部１９に対して上下移動可能に係合している。枠体８ａ，８ｂを長さ方向に相対移動して、突起１８を、溝部１９の上端側に移動したとき、その上端側対向縁部が突起１８の軸部よりも幅狭に形成されているので、突起１８が溝部１９の上端部に対して係合保持され、ダミー本体８の全長を、所定サイズ（例えば２５０ml）の商品と略対応する長さに調節することができる。
【００２８】
一方、突起１８を、溝部１９の下端側に移動したとき、上述と同様に、その下端側対向縁部が突起１８の軸部よりも幅狭に形成されているので、突起１８が溝部１９の下端部に対して係合保持され、ダミー本体８の全長を、所定サイズ（例えば１９０ml）の商品と略対応する長さに可変調節することができる。
【００２９】
なお、上述の突起１８を、壁部１４に形成し、溝部１９を、壁部１１に形成してもよく、また、壁部１１，１４を、例えばアリ溝により上下移動可能に係合してもよい。
【００３０】
前述した保持部１３の下面側後縁部には、図６、図９にも示すように、略Ｌ字状の係止爪２４を、円周方向に対して所定間隔に隔てて形成しており、展示面３に形成した開口部４の後側縁部に対して内方から外方への操作で係止される。
【００３１】
一方、下面側前縁部の略中央部に形成した略鉤形状の係止爪２５は、開口部４の前側縁部に対して上方から下方への押下操作で係止される。
【００３２】
加えて、係止爪２５の両側部であって、開口部１５の内周縁部に沿って形成した略円弧形状の突起２６は、展示面３に形成した開口部４の内周縁部に対して係止され商品見本７を起立状態に保持する。
【００３３】
係止爪２４，２５の略中間部に垂設した凸部２７は、開口部４の両側縁部に形成した凹溝３０に係止され、相互の当接により、商品見本７を回止めする。
【００３４】
なお、係止爪２４は、保持部１３の下面側後縁部に形成した支持片２９の下面側に垂設され、支持片２９は、開口部１５と連通して、下面側後縁部に形成した切欠き部２８の開放側縁部に連設され、支持片２９を樹脂自体の弾性により内方に向けて変位可能に設けている。
【００３５】
商品見本７を、展示面３の開口部４に固定する場合、ダミーラベル９が保持されたダミー本体８を、後方側に傾斜（図中仮想線で示す）して、枠体８ｂに形成した係止爪２４，２４を、展示面３に形成した開口部４の後側縁部に係止する。
【００３６】
この後、係止爪２４を支点として、ダミー本体８の前部側を下方に回動させ、枠体８ｂに形成した係止爪２５を、開口部４の前側縁部に係止するので、商品見本７が展示面３の開口部４に対して起立状態に嵌込み固定され、展示面３に形成した開口部４と、枠体８ｂに形成した開口部１５とが連通される。且つ、枠体８ｂに形成した凸部２７と、開口部４の両側縁部に形成した凹溝３０とが係止され、商品見本７が回り止めされる。
【００３７】
図示実施例は上記の如く構成するものとして、以下、展示用商品見本７のサイズ及び表示内容を変更する方法を説明する。
【００３８】
先ず、自動販売機１を構成する展示部２の展示面３から特定の商品見本７を取り外した後、図２に示すように、ダミー本体８を構成する枠体８ａ，８ｂの間からダミーラベル９を抜取った後、商品と略対応するサイズにダミー本体８をスライド調節する。
【００３９】
つまり、図４、図５に示すように、枠体８ａ，８ｂを長さ方向にスライド移動（牽引）して、枠体８ａに形成した突起１８を、溝部１９の上端部又は下端部から離脱すると共に、その溝部１９に沿って上下方向に移動させ、商品と略対応するサイズに可変調節する。
【００４０】
容量の小さい商品（小径の缶）と略対応するサイズ（例えば１９０ml）に変更する場合、突起１８を、溝部１９の下端部に係合して、ダミー本体８の全長を、短尺の商品と略対応する長さに可変調節（図中仮想線で示す）した後、図２、図３に示すように、商品と対応するサイズのダミーラベル９を湾曲して、枠体８ａ，８ｂの間に対して差込みセットする。
【００４１】
且つ、図７に示すように、ダミーラベル９の上下縁部を保持部１０，１３に形成した溝部１６に対して後方から差込み、ダミーラベル９の両側縁部を壁部１１に形成した係止爪１２，１２に係止して、所定の曲率半径に矯正及び保持する。
【００４２】
また、図８に示すように、壁部１１の後側両縁部に形成した略球形状又は先細形状の突起２０を、ダミーラベル９の両側縁部に形成した孔部２１に差込み、ダミーラベル９を湾曲した状態又は巻付けた状態に保持してもよく、孔部２１の縁部には切れ目を複数形成しているので、相互の差込み及び抜取りが容易に行える。或いは、ダミーラベル９の両側縁部を、後述する固定手段（接着及び溶着を除く）により着脱可能に保持してもよい。
【００４３】
容量の大きい商品と略対応するサイズ（例えば２５０ml）に変更する場合、突起１８を、溝部１９の上端部に係合して、ダミー本体８の全長を、長尺の商品と略対応する長さに可変調節（図中実線で示す）した後、商品と対応するサイズのダミーラベル９を湾曲して、枠体８ａ，８ｂの間に対して差込みセットする。
【００４４】
以下、上述と同様にして、ダミーラベル９の上下縁部を、保持部１０，１３に形成した溝部１６に差込み、ダミーラベル９の両側縁部を、壁部１１に形成した係止爪１２，１２に係止するので、商品見本７のサイズ及び表示内容を変更する作業が容易に行える。
【００４５】
次に、図１、図９に示すように、サイズ変更した商品見本７を、展示部２の展示面３に対して起立した状態に嵌込み固定して陳列するので、開口部４，１５を介して、光源５から投光される光が商品見本７内に導光されると、商品見本７が立体的に発光し、実物の商品を照光したときと略同等のティスプレー効果が得られる。
【００４６】
なお、商品見本７を構成するダミー本体８を、展示部２の展示面３に取付けた状態のまま商品と略対応するサイズに可変調節したり、ダミーラベル９を交換したりしてもよい。
【００４７】
以上のように、商品見本７を構成するダミー本体８を、商品と略対応するサイズに伸縮調節してダミーラベル９のみを交換するので、従来例のように商品見本４０全体を交換するような手間及び作業が省けると共に、商品見本７のサイズ及び表示内容を変更したり、ダミーラベル９を交換したりする作業が簡単且つ容易に行え、交換作業に要する時間が短くなり、作業性が向上する。
【００４８】
しかも、ダミーラベル９のみを交換し、ダミー本体８を共通して使用するので、商品の種類に対応して、複数の商品見本７を製作及び準備したりする必要が無く、商品見本７の保管及び取扱いが容易に行える。且つ、商品の種類及びサイズに対応したダミーラベル９を複数製作するだけで済み、一つの商品見本７に要する製作費及び金型費の低減を図ることができる。
【００４９】
さらに、枠体８ａに形成した突起１８を、枠体８ｂに形成した溝部１９に沿って上下移動させ、ダミー本体８を、商品に略対応して任意サイズにスライド調節するので、枠体８ａ，８ｂを分離したり、組付けたりする手間及び作業が省け、商品見本７のサイズ及び表示内容を変更する作業が容易に行える。
【００５０】
さらにまた、ダミーラベル９の両側縁部を、枠体８ａに形成した係止爪１２，１２に係止して、商品と略対応する曲率半径に矯正及び保持するので、ダミーラベル９を湾曲した状態又は巻付けた状態に保持することができ、ダミーラベル９の装着及び交換が容易に行える。
【００５１】
図１０、図１１は、展示用商品見本７を構成するダミー本体８の他の調節構造を示し、枠体８ａ，８ｂの対向面に形成した突起２２と孔部２３とを互いに係合して、ダミー本体８を、商品と略対応するサイズに可変調節する。
【００５２】
先ず、容量の小さい商品と略対応するサイズに変更する場合、枠体８ａの壁部１１に形成した突起２２を、枠体８ｂの壁部１４に形成した孔部２３から抜取り、枠体８ａ，８ｂを分離する。
【００５３】
この後、壁部１１に形成した下段側の突起２２を、壁部１４に形成した孔部２３に係合して、ダミー本体８の全長を、商品と略対応する長さに可変調節（図中仮想線で示す）した後、ダミーラベル９を、枠体８ａ，８ｂの間に差込みセットする。なお、孔部２３の縁部には切れ目を複数形成しているので、相互の差込み及び抜取りが容易に行える。
【００５４】
次に、容量の大きい商品と略対応するサイズに変更する場合、枠体８ａ，８ｂを分離した後、壁部１１に形成した下段側の突起２２を、壁部１４に形成した切欠き部１４ａに挿入し、上段側の突起２２を孔部２３に係合して、ダミー本体８の全長を、商品と略対応する長さに可変調節（図中実線で示す）した後、ダミーラベル９を、枠体８ａ，８ｂの間に差込みセットするので、商品見本７の全長を、予め設定したサイズに段階的に可変調節することができ、上述した実施例と略同等の作用効果を奏することができる。
【００５５】
また、図１２に示すように、枠体８ａの壁部１１に形成した一つの突起２２を、枠体８ｂの壁部１４に形成した上段側又は下段側の孔部２３に係合して、ダミー本体８の全長を、商品と略対応する長さに可変調節してもよい。
【００５６】
なお、上述した突起１８，２２を、壁部１４側に形成し、溝部１９と、孔部２３とを、壁部１１側に形成してもよい。
【００５７】
この発明の構成と、上述の実施例との対応において、
この発明の調節手段は、実施例の突起１８，２２と、溝部１９と、孔部２３と、後述するネジと、ナットと、その他の固定手段とに対応し、
係止部は、係止爪１２と、突起２０と、孔部２１とに対応するも、
この発明は、上述の実施例の構成のみに限定されるものではない。
【００５８】
上述した実施例の調節機構は、容量の大きい商品（大径の缶）と酷似する形状に形成した商品見本７を、任意サイズ（例えば２８０ml、３５０ml）に可変調節するときにも用いることができる。
【００５９】
上述した突起１８，２２と、溝部１９と、孔部２３とに代わる他の調節手段として、壁部１１，１４を、例えばネジと、ナットとでスライド調節可能に固定してもよく、また、面ファスナー、マグネット、粘着テープ等の固定手段により調節可能に固定してもよい。
【００６０】
さらに、壁部１１，１４の対向面に、例えば歯部と、爪部とを係止するノッチ式の調節機構を設けて、ダミー本体８を任意サイズに可変調節してもよい。
【００６１】
さらにまた、展示用商品見本７のダミー本体８を、例えばネジ、接着剤又は上述した固定手段により展示部２の展示面３に対して固定してもよい。
【図面の簡単な説明】
【図１】  大小の商品見本を展示部に陳列した自動販売機を示す正面図。
【図２】  ダミー本体とダミーラベルとの取付け状態を示す正面側斜視図。
【図３】  ダミー本体とダミーラベルとの取付け状態を示す底面側斜視図。
【図４】  上下枠体の取付け状態を示す縦断側面図。
【図５】  上下枠体の取付け状態を示す縦断正面図。
【図６】  下部枠体の嵌込み構造を示す底面図。
【図７】  ダミーラベルの取付け状態を示す背面図。
【図８】  ダミーラベルの他の取付け状態を示す背面図。
【図９】  商品見本を展示部の展示面に取付けた状態を示す縦断側面図。
【図１０】  上下枠体の他の取付け状態を示す縦断側面図。
【図１１】  上下枠体の取付け状態を示す縦断正面図。
【図１２】  上下枠体のその他の取付け状態を示す縦断側面図。
【図１３】  従来例の商品見本を示す正面から見た斜視図。
【符号の説明】
１…自動販売機
２…展示部
３…展示面
４…開口部
７…展示用商品見本
８…ダミー本体
８ａ，８ｂ…枠体
９…ダミーラベル
１０，１３…保持部
１１，１４…壁部
１２…係止爪
１６，１９…溝部
１８，２０，２２…突起
２１，２３…孔部
２４，２５…係止爪
【図１】
0004316037.tif 000002
【図２】
0004316037.tif 000003
【図３】
0004316037.tif 000004
【図４】
0004316037.tif 000005
【図５】
0004316037.tif 000006
【図６】
0004316037.tif 000007
【図７】
0004316037.tif 000008
【図８】
0004316037.tif 000009
【図９】
0004316037.tif 000010
【図１０】
0004316037.tif 000011
【図１１】
0004316037.tif 000012
【図１２】
0004316037.tif 000013
【図１３】
0004316037.tif 000014